(57)【要約】【課題】スイッチのオン／オフを確認することができ、且つ別に保護回路を設けなくても安全性を保持する。【解決手段】端子Ｔ１、Ｔ２の間に直列接続された電磁型スイッチ１、２が保護する部品の経路の一部に設けられる。スイッチ１、２は、駆動コイル３、４に流れる駆動電流によってオン／オフが制御される。スイッチ１の両端と接続された電圧検出回路５１では、スイッチ１の端子間の電位差が検出されるとともに、制御回路５４からスイッチ１の制御状態が供給され、スイッチ１の動作状態が判断断される。スイッチ２の両端と接続された電圧検出回路５２では、スイッチ２の端子間の電位差が検出されるとともに、制御回路５４からスイッチ２の制御状態が供給され、スイッチ２の動作状態が判断断される。制御回路５４では、制御停止回路５３からの停止信号が供給されると、スイッチ１、２をオフとさせるための制御信号が駆動回路５５へ供給される。【選択図】    図９
2004297866.tif 000002
【特許請求の範囲】
【請求項１】
直列に接続された第１および第２のスイッチと、
上記第１および第２のスイッチのオン／オフを制御する制御手段と、
上記第１および第２のスイッチの動作状態を検出する動作状態検出手段と、
上記第１および第２のスイッチの制御状態と、上記第１および第２のスイッチの動作状態とが一致するか否かを判断する状態判断手段とを有し、
上記状態判断手段の判断結果から上記制御状態と上記動作状態とが一致しないと判断されると、上記第１および第２のスイッチをオフとするようにしたことを特徴とする保護装置。
【請求項２】
上記動作状態検出手段は、
上記第１および第２のスイッチが設けられた第１の経路と、上記第１の経路とは異なる第２の経路との間に設けられたコンデンサに蓄積された電荷を検出することによって、上記第１および第２のスイッチの動作状態を検出するようにしたことを特長とする請求項１に記載の保護装置。
【請求項３】
上記第１および第２のスイッチは、電磁型スイッチおよび切替型スイッチの何れかであることを特徴とする請求項１に記載の保護装置。
【発明の詳細な説明】
【０００１】
【発明の属する技術分野】
この発明は、電磁型スイッチを回路保護のために使用する保護装置に関する。
【０００２】
【従来の技術】
従来の電子機器には、回路を保護する目的から、例えば過電流が検出された場合、その過電流から回路を保護するためのスイッチが過電流が流れる経路に設けられていた。例えば、図２０に示すように、過電流が流れる経路に電磁型スイッチ１２１が設けられる。この電磁型スイッチ１２１は、駆動コイル１２２に流れる電流によって、オン／オフが制御される。この駆動コイル１２２に流れる電流は、駆動回路１２３によって、供給される。この駆動回路１２３は、制御回路１２４によって制御される。
【０００３】
【特許文献１】
特開２００２−０９３４６６
【０００４】
この特許文献１には、充電制御回路に電池保護機能を取り込むことにより、充電制御回路を有する回路基板と電池パック内部にある電池保護用の回路基板との２つを、１つにまとめるようにし、電池パックを純粋に電池のみで構成することが可能なものが記載されている。
【０００５】
【発明が解決しようとする課題】
しかしながら、この電磁型スイッチ１２１がオフ状態になったか否かを確認する方法はなかった。そのため、電磁型スイッチ１２１が壊れ、溶着した場合、オフすることができないという問題があった。
【０００６】
そのため、図２１に示すように、電磁型スイッチ１２１に加え、さらなる保護回路を設けたものがあった。電磁型スイッチ１２１は、二次電池１３１の正極端子と保護回路１３４との間に設けられる。検出回路１３２および１３３は、二次電池１３１と並列に設けられ、例えば電圧や電流が検出される。検出回路１３２の検出結果が駆動回路１２３へ供給される。駆動回路１２３では、検出結果に応じて、電磁型スイッチ１２１のオン／オフが制御される。同様に検出回路１３３の検出結果は、保護回路１３４へ供給される。保護回路１３４では、検出結果に応じて、二次電池１３１を保護するために、例えばその経路を切断する。
【０００７】
このように、電磁型スイッチを保護するための保護回路を別に設けなければならない問題があった。
【０００８】
従って、この発明の目的は、スイッチのオン／オフを確認することができ、且つ別に保護回路を設けなくても安全性を保持することができる保護装置を提供することにある。
【０００９】
【課題を解決するための手段】
上述した課題を達成するために請求項１の発明は、直列に接続された第１および第２のスイッチと、第１および第２のスイッチのオン／オフを制御する制御手段と、第１および第２のスイッチの動作状態を検出する動作状態検出手段と、第１および第２のスイッチの制御状態と、第１および第２のスイッチの動作状態とが一致するか否かを判断する状態判断手段とを有し、状態判断手段の判断結果から制御状態と動作状態とが一致しないと判断されると、第１および第２のスイッチをオフとするようにしたことを特徴とする保護装置である。
【００１０】
このように、直列に接続された第１および第２のスイッチの動作状態を検出することができ、検出された動作状態と制御状態とに応じて正常に動作しているか否かを判断することができるので、何れか一方のスイッチが壊れ、溶着した場合であっても、回路を保護することができる。
【００１１】
【発明の実施の形態】
以下、この発明の実施形態について図面を参照して説明する。図１は、この発明が適用された第１の実施形態のブロック図を示す。端子Ｔ１およびＴ２の間に直列に接続された電磁型スイッチ１および２が、例えば過電流の流れる経路の一部に電磁型スイッチ１および２が設けられる。
【００１２】
電磁型スイッチ１は、駆動コイル３に流れる駆動電流によってオン／オフが制御される。駆動回路５から導出される駆動コイル３には、制御回路７から供給される制御信号に応じて、駆動電流が供給される。
【００１３】
同様に、電磁型スイッチ２は、駆動コイル４に流れる駆動電流によってオン／オフが制御される。駆動回路６から導出される駆動コイル４には、制御回路７から供給される制御信号に応じて、駆動電流が供給される。この電磁型スイッチ１および２の一例として継電器、リレースイッチなどが用いられる。
【００１４】
電磁型スイッチ１および２の接続点と接続される動作検出回路９（動作状態検出手段）では、電磁型スイッチ１および２が動作したこと、すなわちオンまたはオフしたことが検出され、その動作状態が使用停止回路８へ供給される。例えば、オン／オフを切り替えることによって変化する電位差などから正常に動作しているか否かが判断される。
【００１５】
使用停止回路８（状態判断手段）では、動作検出回路９から電磁型スイッチ１および２の動作状態が供給され、制御回路７から電磁型スイッチ１および２の制御状態が供給される。供給された動作状態および制御状態から電磁型スイッチ１および２が正常に動作しているか否かが判断され、その判断結果は使用停止回路８から制御回路７へ供給される。
【００１６】
制御回路７では、使用停止回路８から供給された判断結果に応じて、電磁型スイッチ１および２がオンまたはオフとなる制御信号が駆動回路５および６へ供給される。
【００１７】
例えば、使用停止回路８において、供給された動作状態および制御状態が一致しなかった場合、電磁型スイッチ１および２の少なくとも一方が壊れたと判断し、その判断結果が制御回路７へ供給される。制御回路７からの制御信号に応じて電磁型スイッチ１および２がオフとされる。
【００１８】
このような第１の実施形態は、スイッチ回路を使用して安全性を維持するものであって、例えば電池パックの安全回路用のスイッチ回路として使用することによって高い安全性を維持することができる。
【００１９】
図２は、この発明の第１の実施形態の他の例のブロック図を示す。電磁型スイッチ１および２の接続点と接続されるオン／オフ検出回路１３（動作状態検出手段）では、電磁型スイッチ１および２のオンまたはオフの動作状態が検出される。検出された動作状態は、オン／オフ検出回路１３から状態同期確認回路１２へ供給される。
【００２０】
状態同期確認回路１２（状態判断手段）では、オン／オフ検出回路１３から電磁型スイッチ１および２の動作状態が供給され、制御回路７から電磁型スイッチ１および２の制御状態が供給される。供給された動作状態と制御状態との同期がとれているか否か、すなわち電磁型スイッチ１および２が正常に動作しているか否かが確認され、その確認結果は動作停止回路１１へ供給される。
【００２１】
動作停止回路１１では、供給された確認結果から動作状態と制御状態との同期がとれていないことが確認されると、電磁型スイッチ１および２の動作を停止させる、すなわちオフとさせるための信号が制御回路７に供給される。
【００２２】
制御回路７では、動作停止回路１１から供給された信号に応じて、電磁型スイッチ１および２がオフとなる制御信号が駆動回路５および６へ供給される。
【００２３】
つまり、状態同期確認回路１２において、供給された動作状態および制御状態の同期がとれなかった場合、電磁型スイッチ１および２の少なくとも一方が壊れ、溶着していると判断され、電磁型スイッチ１および２がオフとされる。
【００２４】
ここで、図３を参照して、上述した動作検出回路９およびオン／オフ検出回路１３で適用可能な構成の第１の例を説明する。電圧検出回路２１から導出される端子が電磁型スイッチ１の両端に接続され、電圧検出回路２２から導出される端子が電磁型スイッチ２の両端に接続される。コンデンサ２４の一方の端子は、電磁型スイッチ１を介して二次電池２３の正極端子と接続され、その他方の端子は、二次電池２３の負極端子および端子Ｔ４と接続される。
【００２５】
なお、この図３では、電磁型スイッチ１と二次電池２３の正極端子との間に、端子Ｔ１が設けられ、二次電池２３の負極端子とコンデンサ２４の他方の端子との間に、端子Ｔ３が設けられる。さらに、電磁型スイッチ２のから端子Ｔ２が導出される。
【００２６】
このように構成されている場合、電磁型スイッチ１および２がオンのときには、電磁型スイッチ１および２のそれぞれの端子間の電位差はゼロである。そして、電磁型スイッチ１がオフのときには、コンデンサ２４に蓄積されている電荷を少し放電することによって、電磁型スイッチ１の端子間に電位差が現れる。また、電磁型スイッチ２がオフのときには、コンデンサ２４に蓄積されている電荷によって、電磁型スイッチ２の端子間に電位差が現れる。このコンデンサ２４は、電磁型スイッチ１および２の動作状態を検出するために使用される。
【００２７】
従って、電圧検出回路２１および２２の検出結果から電磁型スイッチ１および２の動作状態を判断することができる。
【００２８】
コンデンサ２４は、過充電にならないような容量のものを適宜選択する必要がある。なお、コンデンサ２４の代わりに二次電池を使用しても同じ動作を実現することができる。
【００２９】
ここで、図４のフローチャートを参照して、この第１の実施形態の動作を説明する。ステップＳ１では、駆動回路５および６から導出される駆動コイル３および４に駆動電流が供給され、または駆動電流の供給が停止され、電磁型スイッチ１および２がオンとされる。
【００３０】
ステップＳ２では、コンデンサ２４に電荷が蓄積される。ステップＳ３では、電圧検出回路２１および２２において電磁型スイッチ１および２がオンのときの電位差が検出される。
【００３１】
ステップＳ４では、検出された電位差がゼロか否かが判断される。検出された電位差がゼロであると判断されると、ステップＳ５へ制御が移り、検出された電位差がゼロでないと判断されると、ステップＳ１２へ制御が移る。ステップＳ１２では、電磁型スイッチ１および２の少なくとも一方が壊れていることを示す不良信号を発信する。
【００３２】
ステップＳ５では、駆動回路５および６から導出される駆動コイル３および４に駆動電流が供給され、または駆動電流の供給が停止され、電磁型スイッチ１および２がオフとされる。
【００３３】
ステップＳ６では、電圧検出回路２１および２２において電磁型スイッチ１および２の端子間の電位差が検出される。このとき、電圧検出回路２１において電磁型スイッチ１の端子間の電位差を検出する場合、コンデンサ２４に蓄積された電荷を少し放電する。
【００３４】
ステップＳ７では、電磁型スイッチ１の端子間の電位差がゼロか否かが判断される。電位差がゼロであると判断されると、ステップＳ９へ制御が移り、電位差がゼロでないと判断されると、ステップＳ６へ制御が戻る。
【００３５】
ステップＳ８では、電磁型スイッチ２の端子間の電位差がゼロか否かが判断される。電位差がゼロであると判断されるとステップＳ９へ制御が移り、電位差がゼロでないと判断されると、ステップＳ６へ制御が戻る。
【００３６】
ステップＳ９では、検出された電位差から電磁型スイッチ１および２の動作状態を判断し、その動作状態と制御回路７からの制御状態とが比較される。
【００３７】
ステップＳ１０では、電磁型スイッチ１および２の動作状態と、制御回路７からの制御状態とが一致しているか否かが判断される。動作状態と制御状態とが一致していると判断されると、ステップＳ９へ制御が戻り、動作状態と制御状態とが一致していないと判断されると、ステップＳ１１へ制御が移る。
【００３８】
ステップＳ１１では、この電磁型スイッチ１および２がオフとされる。
【００３９】
ここで、図５を参照して、この発明の第２の実施形態の第１の例を説明する。電圧検出回路３１（動作状態検出手段）は、端子Ｔ１、Ｔ２、並びに端子Ｔ３およびＴ４と接続される。ＮＰＮ型のトランジスタ３２のコレクタは、電磁型スイッチ１および２の接続点と接続され、そのベースは、定電圧ダイオード３４のカソードと接続され、そのエミッタは、コンデンサ３３を介して端子Ｔ３およびＴ４と接続される。定電圧ダイオード３４のアノードは、端子Ｔ３およびＴ４と接続される。電圧検出回路３５は、コンデンサ３３の両端に接続される。
【００４０】
低電圧ダイオード３４によってトランジスタ３２のオン／オフが制御され、二次電池２３の端子電圧Ｖ２３より低くなるように、電磁型スイッチ１および２の動作状態を検出するためのコンデンサ３３に電荷（Ｖ３３）が蓄積される。すなわち、
Ｖ３３  ＜  Ｖ２３
となるように設定される。
【００４１】
このようにすることによって、電圧検出回路３１で検出される端子Ｔ１およびＴ３に接続される二次電池２３の端子電圧Ｖ２３と、電圧検出回路３５で検出されるコンデンサ３３の端子間の電位差Ｖ３３とから電磁型スイッチ１および２の動作状態を容易に検出することができる。
【００４２】
また、図５中点線で示すように、定電圧ダイオード３８のカソードは、抵抗３７を介して電磁型スイッチ１および２の接続点と接続され、そのアノードは、端子Ｔ３およびＴ４と接続される。コンデンサ３９の両端は、定電圧ダイオード３８のアノードおよびカソードとそれぞれ接続される。
【００４３】
このような構成であっても、コンデンサ３９に蓄積される電荷（Ｖ３９）を二次電池２３の端子電圧Ｖ２３より低くなるように設定する。
【００４４】
さらに図６に、この発明の第２の実施形態の第１の例の変形例を示す。チャージポンプ４１が電磁型スイッチ１および２の接続点と、コンデンサ３３との間に設けられる。このチャージポンプ４１によってコンデンサ３３には、二次電池２３の端子電圧Ｖ２３よりも高い電荷（Ｖ３３）が蓄積される。すなわち、
Ｖ３３  ＞  Ｖ２３
となるように設定される。このようにしても同様に、電磁型スイッチ１および２の動作状態を容易に検出することができる。
【００４５】
ここで、図７を参照して、この発明の第２の実施形態の第２の例を説明する。この第２の実施形態の第２の例には、上述した図５に示す回路にＰＮＰ型のトランジスタ４５が設けられている。このトランジスタ４５のエミッタは、トランジスタ３２のエミッタと接続され、そのコレクタは、トランジスタ３２のコレクタと接続され、そのベースは、制御部（図示なし）と接続される。
【００４６】
この第２の例では、トランジスタ４５がオンされてから電磁型スイッチ１および２の動作状態を検出することによって、容易に検出することができる。
【００４７】
さらに図８に、この発明の第２の実施形態の第２の例の変形例を示す。この図８にもトランジスタ４５が設けられている。このトランジスタ４５のエミッタは、コンデンサ３３と接続され、そのコレクタは、電磁型スイッチ１および２の接続点と接続され、そのベースは、制御部（図示なし）と接続される。
【００４８】
この第２の実施形態の第２の例の変形例でも、トランジスタ４５がオンされてから電磁型スイッチ１および２の動作状態を検出することによって、容易に検出することができる。
【００４９】
ここで、この発明の第２の実施形態を図９に示す。電圧検出回路５１（動作状態検出手段、状態判断手段）は、電磁型スイッチ１の両端と接続される。この電圧検出回路５１では、電磁型スイッチ１の端子間の電位差が検出される。また、この電圧検出回路５１には、電磁型スイッチ１の制御状態が制御回路５４から供給され、検出された電位差から電磁型スイッチ１の動作状態を判断し、制御状態と一致しているか否かが判断される。動作状態と制御状態とが一致していないと判断されると、信号が制御停止回路５３へ供給される。
【００５０】
電圧検出回路５２（動作状態検出手段、状態判断手段）は、電磁型スイッチ２の両端と接続される。この電圧検出回路５２では、電磁型スイッチ２の端子間の電位差が検出される。また、この電圧検出回路５２には、電磁型スイッチ２の制御状態が制御回路５４から供給され、検出された電位差から電磁型スイッチ２の動作状態を判断し、制御状態と一致しているか否かが判断される。動作状態と制御状態とが一致していないと判断されると、信号が制御停止回路５３へ供給される。
【００５１】
制御停止回路５３では、電圧検出回路５１および５２の少なくとも一方から動作状態と制御状態とが一致していないという信号が供給されると、電磁型スイッチ１および２をオフとさせるために、制御回路５４へ停止信号が供給される。
【００５２】
制御回路５４では、制御停止回路５３からの停止信号が供給されると、電磁型スイッチ１および２をオフとさせるための制御信号が駆動回路５５へ供給される。なお、制御回路５４から駆動回路５５へ供給される制御信号は、トランジスタ４５のベースにも供給される。
【００５３】
ここで、図１０を参照して、この発明の第３の実施形態を説明する。この図１０は、交流回路に電磁型スイッチ１および２を設けたものである。このように交流回路において、電磁型スイッチ１および２の動作状態を検出する場合、コンデンサ３３と直列に接続されたダイオード６１によって交流が整流され、コンデンサ３３に電荷が蓄積される。従って、上述と同様の動作および作用を得ることができる。
【００５４】
次に、図１１を参照して、この発明の第４の実施形態の第１の例を説明する。この第４の実施形態の第１の例は、端子を切り替える電磁型スイッチ（以下、「切替型スイッチ」と称する）を電磁型スイッチ１および２の代わりに使用したものである。この切替型スイッチ１’および２’は、電磁型スイッチ１および２がオンのとき、端子１’ａおよび２’ａと接続し、電磁型スイッチ１および２がオフとのき、端子１’ｂおよび２’ｂと接続するように制御される。
【００５５】
スイッチ動作検出回路７１（動作状態検出手段）は、切替型スイッチ１’および２’の接続点と、端子１’ｂとの間に設けられ、切替型スイッチ１’の動作状態が検出される。スイッチ動作検出回路７２（動作状態検出手段）は、切替型スイッチ１’および２’の接続点と、端子２’ｂとの間に設けられ、切替型スイッチ２’の動作状態が検出される。このスイッチ動作検出回路７１および７２では、インピーダンスを検出することによって、切替型スイッチ１’および２’の動作状態を検出することができる。
【００５６】
なお、この第４の実施形態の動作は、上述した図４のフローチャートで説明した動作と同じ動作となる。
【００５７】
図１２を参照して、この発明の第４の実施形態の第２の例を説明する。この第４の実施形態の第２の例では、端子１’ｂとスイッチ動作検出回路７１との間に、抵抗７３が設けられている。端子２’ｂとスイッチ動作検出回路７２との間に、抵抗７４が設けられている。スイッチ動作検出回路７１および７２は、端子Ｔ３およびＴ４と接続される。切替型スイッチ１’および２’の接続点と端子Ｔ３およびＴ４の接続点との間に、コンデンサ７５が設けられる。
【００５８】
コンデンサ７５が設けられたこの第２の例では、スイッチ動作検出回路７１および７２において、コンデンサ７５から流れる電流を検出することによって、切替型スイッチ１’および２’の動作状態を検出することができる。
【００５９】
図１３を参照して、この発明の第４の実施形態の第３の例を説明する。この第４の実施形態の第３の例では、電磁型スイッチ１および切替型スイッチ２’とが使用されている。スイッチ動作検出回路７８（動作状態検出手段）は、電磁型スイッチ１の両端に接続され、電磁型スイッチ１の動作状態が検出される。
【００６０】
このように電磁型スイッチと、切替型スイッチとを組み合わせて使用しても、上述と同様の動作および作用を得ることができる。
【００６１】
次に、図１４を参照して、この発明の第５の実施形態の第１の例を説明する。電磁型スイッチ８１および８２は、駆動コイル８３および８４の両方または少なくとも一方でオン／オフの動作が制御されるように、端子Ｔ１およびＴ２の間に直列に設けられる。
【００６２】
駆動コイル８３および８４の一端は互いに接続され、その接続点はＮＰＮ型のトランジスタ８６のコレクタと接続される。駆動コイル８３の他端は、ＮＰＮ型のトランジスタ８５のコレクタと接続され、駆動コイル８４の他端は、スイッチ回路８８の端子８８ａを介して電源部８９の正極端子と接続される。
【００６３】
トランジスタ８５のエミッタは、端子Ｔ３およびＴ４と接続され、そのベースは、制御回路８７と接続される。同様に、トランジスタ８６のエミッタは、端子Ｔ３およびＴ４と接続され、そのベースは、制御回路８７と接続される。また、トランジスタ８６のコレクタは、スイッチ回路８８の端子８８ｂを介して電源部８９の正極端子と接続される。電源部８９の負極端子は、端子Ｔ３およびＴ４と接続される。
【００６４】
ここで、駆動コイル８３および８４の一方が壊れた場合、スイッチ回路８８を端子８８ａと接続し、トランジスタ８５をオフとし、トランジスタ８６をオンとして、電磁型スイッチ８１および８２をオフさせる。そして、電磁型スイッチ８１および８２がオフしない場合、スイッチ回路８８を端子８８ｂと接続し、トランジスタ８５をオンとし、トランジスタ８６をオフとして、電磁型スイッチ８１および８２をオフさせる。
【００６５】
このように、この第５の実施形態の第１の例は、駆動コイルが分割された電磁型スイッチを適用したものである。従って、一方の駆動コイルが壊れても電磁型スイッチ８１および８２をオフすることができる。
【００６６】
図１５を参照して、駆動コイルが分割された電磁型スイッチの一例を説明する。駆動コイル８３ａ、８３ｂ、８４ａおよび８４ｂは、鉄心９１および９２にそれぞれ設けられる。鉄心９１および９２の間を移動可能なようにに磁性体９３が設けられる。駆動コイル８３ａから端子Ｔ１１が導出される。この端子Ｔ１１は、トランジスタ８５のコレクタと接続される。駆動コイル８３ａおよび８４ｂが接続される。
【００６７】
駆動コイル８３ｂおよび８４ｂが接続され、その接続点から端子Ｔ１３が導出される。この端子Ｔ１３は、トランジスタ８６のコレクタと接続される。駆動コイル８３ｂおよび８４ａが接続される。駆動コイル８４ａから端子Ｔ１２が導出される。この端子Ｔ１２は、スイッチ回路８８の端子８８ａと接続される。
【００６８】
図１６を参照して、この発明の第５の実施形態の第２の例を説明する。ＰＮＰ型のトランジスタ９６のコレクタは、トランジスタ８６のコレクタと接続され、そのエミッタは、電源部８９の正極端子と接続され、そのベースは、制御回路８７と接続される。ＰＮＰ型のトランジスタ９７のコレクタは、駆動コイル８４と接続され、そのエミッタは、電源部８９の正極端子と接続され、そのベースは、制御回路８７と接続される。
【００６９】
この発明の第５の実施形態の第２の例は、上述のスイッチ回路８８を半導体の一例としてトランジスタ９６および９７に置き換えたものである。
【００７０】
ここで、駆動コイル８３および８４の一方が壊れた場合、トランジスタ８５および９６をオフとし、トランジスタ８６および９７をオンとして、電磁型スイッチ８１および８２をオフさせる。そして、電磁型スイッチ８１および８２がオフしない場合、トランジスタ８５および９６をオンとし、トランジスタ８６および９７をオフとして、電磁型スイッチ８１および８２をオフさせる。
【００７１】
このように、一方の駆動コイルが壊れても電磁型スイッチ８１および８２をオフすることができる。なお、この場合、１つの駆動コイルで電磁型スイッチ８１および８２をオフすることができる電流（電源）が駆動コイルには供給される。駆動コイル８３および８４には、並列接続または直列接続があるが、動作は同じである。
【００７２】
図１７を参照して、この発明の第５の実施形態の第３の例を説明する。ＮＰＮ型のトランジスタ１０１のコレクタは、電源部１０３の正極端子と接続され、そのエミッタは、駆動コイル８３および８４の一方の端子と接続され、そのベースは、制御回路１０７と接続される。電源部１０３の負極端子は、端子Ｔ３およびＴ４と接続される。
【００７３】
ＮＰＮ型のトランジスタ１０２のコレクタは、電源部１０４の正極端子と接続され、そのエミッタは、駆動コイル８３および８４の一方の端子と接続され、そのベースは、制御回路１０７と接続される。電源部１０４の負極端子は、端子Ｔ３およびＴ４と接続される。
【００７４】
ＮＰＮ型のトランジスタ１０５のコレクタは、駆動コイル８３の他方の端子と接続され、そのエミッタは、端子Ｔ３およびＴ４と接続され、そのベースは、制御回路１０７と接続される。
【００７５】
ＮＰＮ型のトランジスタ１０６のコレクタは、駆動コイル８４の他方の端子と接続され、そのエミッタは、端子Ｔ３およびＴ４と接続され、そのベースは、制御回路１０７と接続される。
【００７６】
この第５の実施形態の第３の例は、駆動コイル８３および８４を並列接続したものである。このように、駆動コイル８３および８４が並列接続の場合、１つの駆動コイルで制御するときに高い電圧（電源）が必要となるため、電源部１０３および１０４の電圧を変える必要がある。
【００７７】
そして、１つの駆動コイルで電磁型スイッチ８１および８２のオン／オフを制御する場合、トランジスタ１０１および１０２のオン／オフを切り替え、トランジスタ１０５および１０６を同時にオンとする。こうすることによって、駆動コイル８３および８４を並列接続しても、直列接続した場合と同じ動作を行うことができる。
【００７８】
ここで、図１８のフローチャートを参照して、この第５の実施形態の動作を説明する。ステップＳ２１では、電磁型スイッチ８１および８２がオンとされる。ステップＳ２２では、電磁型スイッチ８１および８２をオフとするための制御信号が制御回路８７からトランジスタ８５、８６、９６、および９７へ供給される。
【００７９】
ステップＳ２３では、電磁型スイッチ８１および８２がオフとなるように、駆動コイル８３および８４に駆動電流が供給される。ステップＳ２４では、電磁型スイッチ８１および８２の動作状態が検出される。
【００８０】
ステップＳ２５では、検出された動作状態から電磁型スイッチ８１および８２がオフか否かが判断される。電磁型スイッチ８１および８２の両方ともオフであると判断されると、ステップＳ２３へ制御が戻り、電磁型スイッチ８１および８２の少なくとも一方または両方がオンであると判断されると、ステップＳ２６へ制御が移る。
【００８１】
ステップＳ２６では、トランジスタ８５および９６をオフとし、トランジスタ８６および９７をオンとする。ステップＳ２７では、電磁型スイッチ８１および８２の動作状態が検出される。
【００８２】
ステップＳ２８では、検出された動作状態から電磁型スイッチ８１および８２がオフか否かが判断される。電磁型スイッチ８１および８２の両方ともオフであると判断されると、ステップＳ３２へ制御が移り、電磁型スイッチ８１および８２の少なくとも一方または両方がオンであると判断されると、ステップＳ２９へ制御が移る。
【００８３】
ステップＳ２９では、トランジスタ８５および９６をオンとし、トランジスタ８６および９７をオフとする。ステップＳ３０では、電磁型スイッチ８１および８２の動作状態が検出される。
【００８４】
ステップＳ３１では、検出された動作状態から電磁型スイッチ８１および８２がオフか否かが判断される。電磁型スイッチ８１および８２の両方ともオフであると判断されると、ステップＳ３２へ制御が移り、電磁型スイッチ８１および８２の少なくとも一方または両方がオンであると判断されると、ステップＳ２６へ制御が戻る。
【００８５】
ステップＳ３２では、電磁型スイッチ８１および８２の制御が停止される。
【００８６】
次に、図１９を参照して、この発明の第６の実施形態を説明する。直列に接続された抵抗１１３およびスイッチ回路１１４は、コンデンサ３３と並列に設けられる。電圧検出回路３５で検出されたコンデンサ３３の端子間の電位差Ｖ３３は、電圧変化検出回路１１１へ供給される。制御回路１１５は、スイッチ回路１１４のオン／オフを制御するとともに、そのスイッチ回路１１４の制御状態を電圧変化検出回路１１１へ供給する。
【００８７】
電圧変化検出回路１１１（状態判断手段）では、電圧検出回路３５からの電位差Ｖ３３と、制御回路１１５からの制御状態とからコンデンサ３３が壊れているか否かが検出される。コンデンサ３３が壊れていると判断されると、電圧変化検出回路１１１から制御停止回路１１２へ信号が供給される。制御停止回路１１２では、電圧変化検出回路１１１からの信号に応じて電磁型スイッチ１および２をオフとするように制御がなされる。
【００８８】
この第６の実施形態の動作を説明する。コンデンサ３３の端子間の電位差Ｖ３３を検出する場合、電磁型スイッチ１および２をオフする。スイッチ回路１１４をオンさせて、抵抗１１３でコンデンサ３３を少し放電させる。そして、電圧変化検出回路１１１において、コンデンサ３３の端子間の電位差Ｖ３３が少し低下したことが検出されると、コンデンサ３３は壊れていないと判断され、電位差Ｖ３３が低下しなかった場合、コンデンサ３３は壊れていると判断される。
【００８９】
なお、電位差Ｖ３３が少し低下したところで、スイッチ回路１１４をオフとし、電磁型スイッチ１および２の動作状態が検出される。このように、この第６の実施形態では、電磁型スイッチ１および２を検出するためのコンデンサ３３が壊れているか否かを検出するようにしたものである。
【００９０】
この発明は、上述したこの発明の一実施形態等に限定されるものではなく、この発明の要旨を逸脱しない範囲内で様々な変形や応用が可能である。
【００９１】
【発明の効果】
この発明に依れば、従来できなかった回路（部品）の保護用に設けられたスイッチのオン／オフを容易に確認することができ、さらに、別に保護回路を設けなくてもその安全性を保持することができる。
【図面の簡単な説明】
【図１】この発明の第１の実施形態について説明するためのブロック図である。
【図２】この発明の第１の実施形態の他の例について説明するためのブロック図である。
【図３】この発明に適用された動作検出回路およびオン／オフ検出回路の構成の第１の例のブロック図である。
【図４】この発明の第１の実施形態の動作を説明するためのフローチャートである。
【図５】この発明の第２の実施形態の第１の例について説明するためのブロック図である。
【図６】この発明の第２の実施形態の第１の例の変形例について説明するためのブロック図である。
【図７】この発明の第２の実施形態の第２の例について説明するためのブロック図である。
【図８】この発明の第２の実施形態の第２の例の変形例について説明するためのブロック図である。
【図９】この発明の第２の実施形態について説明するためのブロック図である。
【図１０】この発明の第３の実施形態について説明するためのブロック図である。
【図１１】この発明の第４の実施形態の第１の例について説明するためのブロック図である。
【図１２】この発明の第４の実施形態の第２の例について説明するためのブロック図である。
【図１３】この発明の第４の実施形態の第３の例について説明するためのブロック図である。
【図１４】この発明の第５の実施形態の第１の例について説明するためのブロック図である。
【図１５】この発明の第５の実施形態で適用される電磁型スイッチの一例の概略図である。
【図１６】この発明の第５の実施形態の第２の例について説明するためのブロック図である。
【図１７】この発明の第５の実施形態の第３の例について説明するためのブロック図である。
【図１８】この発明の第５の実施形態の動作を説明するためのフローチャートである。
【図１９】この発明の第６の実施形態について説明するためのブロック図である。
【図２０】電磁型スイッチの動作を説明するためのブロック図である。
【図２１】従来の電磁型スイッチを使用した回路を説明するためのブロック図である。
【符号の説明】
Ｔ１、Ｔ２、Ｔ３、Ｔ４・・・端子、１、２・・・電磁型スイッチ、３、４・・・駆動コイル、３２・・・ＮＰＮ型のトランジスタ、３３・・・コンデンサ、３４・・・定電圧ダイオード、４５・・・ＰＮＰ型のトランジスタ、５１、５２・・・電圧検出回路、５３・・・制御停止回路、５４・・・制御回路、５５・・・駆動回路
【図１】
2004297866.tif 000003
【図２】
2004297866.tif 000004
【図３】
2004297866.tif 000005
【図４】
2004297866.tif 000006
【図５】
2004297866.tif 000007
【図６】
2004297866.tif 000008
【図７】
2004297866.tif 000009
【図８】
2004297866.tif 000010
【図９】
2004297866.tif 000011
【図１０】
2004297866.tif 000012
【図１１】
2004297866.tif 000013
【図１２】
2004297866.tif 000014
【図１３】
2004297866.tif 000015
【図１４】
2004297866.tif 000016
【図１５】
2004297866.tif 000017
【図１６】
2004297866.tif 000018
【図１７】
2004297866.tif 000019
【図１８】
2004297866.tif 000020
【図１９】
2004297866.tif 000021
【図２０】
2004297866.tif 000022
【図２１】
2004297866.tif 000023